(57)【特許請求の範囲】
【請求項１】
予め決められたテーマに基づく庭モデルによる庭を実現するための造園実施条件データとして、造園部材の形状、植栽密度、色、観賞時期及び造園部材の必要量のデータがテーマ毎に予め記憶された造園実施条件記憶手段と、
造園に用いる造園部材の特性データが予め記憶された造園部材特性記憶手段と、
造園を行う敷地の立地環境データを入力する立地データ入力手段と、
実現するべき庭のテーマを選択するテーマ選択手段と、
前記テーマ選択手段によって選択された庭のテーマの造園実施条件データとして記憶されている前記造園部材の形状、前記植栽密度、前記色、前記観賞時期及び前記造園部材の必要量を前記造園実施条件記憶手段から読み出し、該造園実施条件データを満たす造園部材を前記造園部材特性記憶手段に記憶されている造園部材の特性データを参照して特定し、該特定した造園部材の中から、さらに前記入力された立地環境データに合致する植栽条件を満たす造園部材を前記造園部材特性記憶手段に記憶されている造園部材の特性データを参照して特定することによって造園に用いる造園部材を選択するとともに、選択した前記造園部材の必要量とを特定する部材選択手段と、
前記部材選択手段によって選択された造園部材の情報と、該造園部材の必要量とを表示する表示手段と
を備えたことを特徴とする造園設計支援システム。
【請求項２】
予め決められたテーマに基づく庭モデルによる庭を実現するための造園実施条件データとして、造園部材の形状、植栽密度、色、観賞時期及び造園部材の必要量のデータがテーマ毎に予め記憶された造園実施条件記憶手段と、造園に用いる造園部材の特性データが予め記憶された造園部材特性記憶手段とを備えた造園設計支援システム上で動作する造園設計支援プログラムであって、
造園を行う敷地の立地環境データを入力する立地データ入力ステップと、
実現するべき庭のテーマを選択するテーマ選択ステップと、
前記テーマ選択ステップによって選択された庭のテーマの造園実施条件データとして記憶されている前記造園部材の形状、前記植栽密度、前記色、前記観賞時期及び前記造園部材の必要量を前記造園実施条件記憶手段から読み出し、該造園実施条件データを満たす造園部材を前記造園部材特性記憶手段に記憶されている造園部材の特性データを参照して特定し、該特定した造園部材の中から、さらに前記入力された立地環境データに合致する植栽条件を満たす造園部材を前記造園部材特性記憶手段に記憶されている造園部材の特性データを参照して特定することによって造園に用いる造園部材を選択するとともに、選択した前記造園部材の必要量とを特定する部材選択ステップと、
前記部材選択ステップによって選択された造園部材の情報と、該造園部材の必要量とを表示する表示ステップと
をコンピュータに行わせることを特徴とする造園設計支援プログラム。
【発明の詳細な説明】
【技術分野】
【０００１】
本発明は、造園設計支援システム及び造園設計支援プログラムに関する。
【背景技術】
【０００２】
従来から、緑化のもつ様々な機能と植物の生育条件などを組み合わせて、最適な植栽計画を迅速かつ的確に具現化するために、造園植物材料データベースに、植物名、気候区別生育適否、芳香の有無、陰陽度、成長性、耐煙性、耐潮性、乾湿性などの植物の一般的特性の他、鳥類別食餌樹種、大気浄化能力、有毒種などの植物の機能的特性を定義しておき、この植物データベースに基づいて最適な植栽計画のために必要な植物を検索することによって植物の特性に応じた植栽計画を実行することができる緑化検索システムが知られている（例えば、特許文献１参照）。
【０００３】
このシステムによれば、緑化のもつ様々な機能と植物の生育条件などを組み合わせて、最適な植栽計画を迅速かつ的確に具現化することができ、快適な居住環境を創造したり、生態系に配慮した緑化を行うことができる。
【特許文献１】特開２００３−１３２１３９号公報
【発明の開示】
【発明が解決しようとする課題】
【０００４】
ところで、個人の住宅の敷地内に造園するような場合においては、住居環境や個人の嗜好性、植栽条件等の適性を配慮して、造園に用いる植物を選別して施主に対して推奨することが望ましい。
【０００５】
しかしながら、個人の住宅の敷地内に造園する庭は、住宅の所有者の嗜好性に基づく植物の選択が行われ、景観が優先した設計となることが多い。そのため、膨大な植物データの中から吟味して選択した植物が、施主の住居に適合しない植物を選択してしまったり、造園の敷地の気候に合わない植物を選択してしまうことが発生する。このような条件を満たしながら施主の嗜好に合った植物を膨大な数の植物の中から選択するのは多大な時間を要するという問題がある。
【０００６】
本発明は、このような事情に鑑みてなされたもので、施主の嗜好を満たすともに、植物の特性を配慮して植物等の造園部材の選択を容易に行うことができる造園設計支援システム及び造園設計支援プログラムを提供することを目的とする。
【課題を解決するための手段】
【０００７】
本発明は、予め決められたテーマに基づく庭モデルによる庭を実現するための造園実施条件データとして、造園部材の形状、植栽密度、色、観賞時期及び造園部材の必要量のデータがテーマ毎に予め記憶された造園実施条件記憶手段と、造園に用いる造園部材の特性データが予め記憶された造園部材特性記憶手段と、造園を行う敷地の立地環境データを入力する立地データ入力手段と、実現するべき庭のテーマを選択するテーマ選択手段と、前記テーマ選択手段によって選択された庭のテーマの造園実施条件データとして記憶されている前記造園部材の形状、前記植栽密度、前記色、前記観賞時期及び前記造園部材の必要量を前記造園実施条件記憶手段から読み出し、該造園実施条件データを満たす造園部材を前記造園部材特性記憶手段に記憶されている造園部材の特性データを参照して特定し、該特定した造園部材の中から、さらに前記入力された立地環境データに合致する植栽条件を満たす造園部材を前記造園部材特性記憶手段に記憶されている造園部材の特性データを参照して特定することによって造園に用いる造園部材を選択するとともに、選択した前記造園部材の必要量とを特定する部材選択手段と、前記部材選択手段によって選択された造園部材の情報と、該造園部材の必要量とを表示する表示手段とを備えたことを特徴とする。
【０００８】
本発明は、予め決められたテーマに基づく庭モデルによる庭を実現するための造園実施条件データとして、造園部材の形状、植栽密度、色、観賞時期及び造園部材の必要量のデータがテーマ毎に予め記憶された造園実施条件記憶手段と、造園に用いる造園部材の特性データが予め記憶された造園部材特性記憶手段とを備えた造園設計支援システム上で動作する造園設計支援プログラムであって、造園を行う敷地の立地環境データを入力する立地データ入力ステップと、実現するべき庭のテーマを選択するテーマ選択ステップと、前記テーマ選択ステップによって選択された庭のテーマの造園実施条件データとして記憶されている前記造園部材の形状、前記植栽密度、前記色、前記観賞時期及び前記造園部材の必要量を前記造園実施条件記憶手段から読み出し、該造園実施条件データを満たす造園部材を前記造園部材特性記憶手段に記憶されている造園部材の特性データを参照して特定し、該特定した造園部材の中から、さらに前記入力された立地環境データに合致する植栽条件を満たす造園部材を前記造園部材特性記憶手段に記憶されている造園部材の特性データを参照して特定することによって造園に用いる造園部材を選択するとともに、選択した前記造園部材の必要量とを特定する部材選択ステップと、前記部材選択ステップによって選択された造園部材の情報と、該造園部材の必要量とを表示する表示ステップとをコンピュータに行わせることを特徴とする。
【発明の効果】
【０００９】
本発明によれば、選択されたテーマの庭を実現するための造園実施条件データを満たす造園部材を絞り込み、この絞り込んだ造園部材の中から、さらに入力された立地環境データに基づく植栽条件を満たす造園部材を絞りこむようにしたため、施主の嗜好にあった造園を実現するために必要な造園部材を容易に選択することが可能となる。この選択動作によって選択された植物は、施主が所望するテーマの庭を実現するために必須である植物が選択されているともに、選択された植物は、造園する敷地の気候や土質に合致した植物のみが選択されているため、適切な造園設計作業を迅速に進行することができるという効果が得られる。
【発明を実施するための最良の形態】
【００１０】
以下、本発明の一実施形態による造園設計支援システムを図面を参照して説明する。図１は同実施形態の構成を示すブロック図である。この図において、符号１は、パソコン等のコンピュータで構成する造園設計支援システムの処理動作を統括して制御する制御部である。符号２は、キーボードやマウス等から構成する入力部である。符号３は、液晶のディプレイ装置等から構成する表示部である。符号４は、住宅等の建築物の設計を行う建築物設計部である、符号５は、建築物設計部４において設計された建築物の設計データが記憶される設計データ記憶部である。符号６は、設計データ記憶部５に記憶されている敷地形状のデータや建築物の平面図データを参照して、コンピュータ利用による造園設計の支援を行う造園設計部である。設計データ記憶部５に記憶される設計データには、建築物が建造される敷地の形状データや庭の設計データを含む。符号７は、造園するために必要かつ適切な造園部材（植物）を選択する造園部材選択部である。符号８は、造園を行う敷地の立地環境に関するデータを記憶する立地データ記憶部である。符号９は、造園部材（植物）の特性データが予め記憶された造園部材特性記憶部である。符号１０は、造園する庭のテーマに応じた実施条件データが予め記憶された実施条件記憶部である。符号１１は、植物の植栽可能地域を特定するための植栽可能地域データが予め記憶された植栽可能地域データ記憶部である。
【００１１】
次に、図３〜図６を参照して、図１に示す各記憶部に記憶されるデータについて説明する。初めに、図３を参照して、図１に示す立地データ記憶部８に記憶されるデータについて説明する。図３は、図１に示す立地データ記憶部８のテーブル構造を示す図である。図３に示すように、立地データ記憶部８は、造園を行う敷地の「住所」、「日照条件」、「水分条件」、「土壌酸度」、「土質」、「土壌養分」、「積雪」、「乾寒風」及び「潮風」を記憶するフィールドを有している。
【００１２】
日照条件には、「日向」、「半日陰」、「日陰」のいずれかが書き込まれる。水分条件には、「乾燥」、「適湿」、「潤」等のいずれかが書き込まれる。土壌酸度には、「酸性」、「中性」、「アルカリ」等のいずれかが書き込まれる。土質には、「砂土」、「壌土」、「埴土」等のいずれかが書き込まれる。土壌養分には、「肥沃地」、「普通地」、「痩せ地」等のいずれかが書き込まれる。積雪には、「多い」、「普通」、「少ない」等のいずれかが書き込まれる。乾寒風には、「強い」、「普通」、「弱い」等のいずれかが書き込まれる。潮風には、「多い」、「普通」、「少ない」等のいずれかが書き込まれる。これらのデータは、入力部２を操作して、予め用意された選択肢の中から選択することにより特定されて、立地データ記憶部８に書き込まれるデータである。
【００１３】
次に、図４を参照して、図１に示す造園部材特性記憶部９に記憶されるデータについて説明する。図４は、図１に示す造園部材特性記憶部９のテーブル構造を示す図である。図４に示すように、造園部材特性記憶部９には、「植物名称」、「形状区分」、「樹形」、「標準高さ」、「植栽密度」、「植栽可能地域」、「開花時期」、「花色」、「観葉時期」、「葉色」、「観実時期」、「実色」、「日照条件」、「水分条件」、「土壌酸度」、「土質」、「土壌養分」、「積雪耐性」、「乾寒風耐性」、「潮風耐性」、「病害虫」、「植え付け時期」及び「解説」を記憶するフィールドを有している。形状区分は、「大形」、「中形」、「小形」のいずれかが記憶される。樹形は、「円柱形」、「狭円錐形」、「球形」等の植物の外観の形状が記憶される。標準高さは、植物の標準的な樹高が記憶される。植栽密度は、植物を植栽する場合に守るべき密度が記憶される。
【００１４】
植栽可能地域は、植栽に適している地域に情報が記憶される。植栽地域については、後述する。開花時期は、花が咲く時期が記憶される。花色は、咲く花の色が記憶される。観葉時期は、葉の色を楽しむ時期が記憶される。葉色は、葉の色が記憶される。観実時期は、実がなる時期が記憶される。実色は、なる実の色が記憶される。日照条件、水分条件、土壌酸度、土質、土壌養分は、前述した通りである。積雪耐性は、積雪に対する耐性が記憶される。乾寒風耐性は、乾寒風に対する耐性が記憶される。潮風耐性は、潮風に対する耐性が記憶される。病害虫は、発生しやすい病害虫が記憶される。植え付け時期は、植え付けを行うべき時期が記憶される。解説は、植物の短い解説文が記憶される。図４において、空欄のフィールドは、該当するデータがないことを意味している。
【００１５】
次に、図５を参照して、図１に示す実施条件記憶部１０に記憶されるデータについて説明する。図５は、図１に示す実施条件記憶部１０のテーブル構造を示す図である。図５に示すように、４つの予め用意されている庭のテーマに基づく庭モデルのデータが記憶されており、「形状区分」、「樹形」、「高さ」、「植栽密度」、「開花時期」、「花色」、「観葉時期」、「葉色」、「観実時期」、「実色」及び「数量」を記憶するフィールドを有している。形状区分、樹形、高さ、植栽密度、開花時期、花色、観葉時期、葉色、観実時期、実色については、前述した通りである。数量は、形状区分、樹形、高さ、植栽密度、開花時期、花色、観葉時期、葉色、観実時期及び実色で特定される植物の必要量を意味している。図５において、空欄のフィールドは、特に指定しない（何でもよい）ことを意味している
【００１６】
次に、図６を参照して、図１に示す植栽可能地域データ記憶部１１に記憶されるデータについて説明する。図６は、図１に示す植栽可能地域データ記憶部１１に記憶されるデータを模式図で示したものである。植栽可能地域は、年間の最低気温の値に基づいて、日本列島を複数の領域（ゾーン）に区分したデータであり、最低気温が低い方からゾーン３からゾーン１１ｂまで１７段階に区分される。植栽可能地域データ記憶部１１には、住所から緯度経度データに変換するための緯度経度変換テーブルと、日本地図データ上を１７段階のゾーンに区分した情報とが記憶されている。住所に対応する植栽可能地域データに変換する場合、まず、緯度経度変換テーブルを参照して、住所から緯度経度情報を取得し、そして、この緯度経度情報に基づいて、日本地図データ上に定義されているゾーン３〜１１ｂを特定する。この特定されたゾーン３〜１１ｂが植栽可能地域データとなる。
【００１７】
次に、図２を参照して、図１に示す造園設計支援システムの動作を説明する。造園設計を行う場合には、建築物設計部４によって建築物の平面図とこの建築物が配置された敷地のデータが設計データ記憶部５に事前に記憶されていることが必要である。作業者が入力部２から造園設計を行う指示の操作を行うと、制御部１は、この操作内容を読み取り、造園設計部６へ指示を出す。これを受けて、造園設計部６は、制御部１を介して、表示部３に立地のデータ入力を行う「立地データ入力画面」を表示する。図７に、立地データ入力画面の一例を示す。立地データ入力画面には、立地環境データを入力するためのプルダウン式の選択ボックスが入力するべき項目全てについて設けられている。ここで、作業者は、造園を行う敷地の立地環境データを入力する（ステップＳ１）。
【００１８】
ここで入力するべき立地環境データは、「住所」、「日照条件」、「水分条件」、「土壌酸度」、「土質」、「土壌養分」、「積雪」、「乾寒風」及び「潮風」についてであり、予め選択ボックス内に用意されている選択肢の中から選択することにより入力を行う。例えば、住所であれば、都道府県名、区市町村名等が用意されており、その選択肢から選択を行うことにより住所入力を行う。また、日照条件であれば、「日向」、「半日陰」、「日陰」の選択肢の中から選択することにより日照条件を入力する。作業者は、全ての立地環境データの項目について入力が終了した時点で、立地データ入力画面上の「ＯＫ」ボタンを押下する。これを受けて、制御部１は、立地データ入力画面において入力された立地環境データを読み取り、読み取った立地環境データのそれぞれを立地データ記憶部８に記憶する。これにより、立地データ記憶部８の「住所」、「日照条件」、「水分条件」、「土壌酸度」、「土質」、「土壌養分」、「積雪」、「乾寒風」及び「潮風」のフィールドには、それぞれのデータが記憶されたことになる。続いて、制御部１は、立地環境データを立地データ記憶部８に記憶する動作が終了したことを造園設計部６に通知する。
【００１９】
次に、造園設計部６は、制御部１を介して、表示部３に造園テーマを選択するための「造園テーマ選択画面」を表示する。図８に造園テーマ選択画面の一例を示す。造園テーマ選択画面には、造園テーマを選択するためのプルダウン式の選択ボックスが選択するべき項目全てについて設けられている。ここで、作業者は、施主の嗜好に基づき、入力部２を操作して、造園テーマを選択する（ステップＳ２）。造園テーマは、庭を造園する場合の施主の嗜好に合わせた庭造りのテーマであり、洋風、和風、現代風、古風等のテーマが予め用意されているものである。作業者は、選択肢の中から造園テーマを選択する。そして、開花時期、花色、観葉時期、葉色、観実時期及び実色について、特別に指定したい場合は、それぞれの項目について、選択を行う。造園テーマ以外の項目（開花時期等）には、予め特別に指定しない（「選ばない」）が設定されているため、特に選択する必要がなければ、造園テーマのみの選択だけを行えばよい。
【００２０】
作業者は、全ての造園テーマ選択画面の全ての項目について選択が終了した時点で造園テーマ選択画面上の「ＯＫ」ボタンを押下する。これを受けて、制御部１は、造園テーマ選択画面において選択された造園テーマの情報を読み取り、読み取った造園テーマの情報を造園設計部６へ出力する。これを受けて、造園設計部６は、造園テーマの情報を内部に保持する。この造園テーマの情報には、選択された造園テーマと、開花時期、花色、観葉時期、葉色、観実時期及び実色についての選択結果の情報（選ばれなかった場合は、選ばれなかったことを示す情報）が含まれる。
【００２１】
次に、造園設計部６は、制御部１を介して、表示部３に表示項目を選択するための「表示項目選択画面」を表示する。図９に表示項目選択画面の一例を示す。表示項目選択画面には、検索結果を表示するべき項目のそれぞれについてチェックリストが設けられている。ここで、作業者は、入力部２を操作して、所望の表示項目についてチェックを付与することにより表示項目を選択する（ステップＳ３）。図９においては、「植物名称」、「開花時期」、「日照条件」、「解説」の４つの項目が選択されたことを示している。必要であれば、すべての項目についてチェックを付与するようにしてもよい。
【００２２】
作業者は、所望の表示項目について選択が終了した時点で表示項目選択画面上の「ＯＫ」ボタンを押下する。これを受けて、制御部１は、表示項目選択画面において選択された表示項目の情報を読み取り、読み取った表示項目の情報を造園設計部６へ出力する。これを受けて、造園設計部６は、表示項目の情報を内部に保持する。
【００２３】
次に、造園設計部６は、内部に保持している造園テーマ情報と表示項目情報とを含む造園部材選択要求を、造園部材選択部７へ出力する。これを受けて、造園部材選択部７は、造園設計部６から出力される造園部材選択要求に含まれる造園テーマ情報に対応する実施条件データを実施条件記憶部１０から読み出すとともに、立地データ記憶部８から立地環境データを読み出す（ステップＳ４）。そして、造園部材選択部７は、植栽可能地域データ記憶部１１から、立地環境データに含まれる住所情報に対応する植栽可能地域データを読み出す。
【００２４】
次に、造園部材選択部７は、造園部材特性記憶部９に記憶されている造園部材特性データを参照して、実施条件を満たすともに、立地環境データに基づく植栽条件を満たす造園部材（植物）を検索する（ステップＳ５）。たとえば、選択された造園テーマが、図５に示す「庭のテーマＡ」が選択された場合、図５に示す実施条件を満たす造園部材を絞り込む。そして、絞り込んだ造園部材の中からさらに、図３に示す立地環境データを満たす造園部材を絞り込む。この処理動作によって、実施条件を満たすともに、立地環境データに基づく植栽条件を満たす造園部材（植物）の検索が行われたことになる。
【００２５】
次に、造園部材選択部７は、検索の結果得られた造園部材の特性データのうち、造園設計部６から出力された表示項目情報に基づいて、該当する表示項目の特性データのみを造園部材特性記憶部９から読み出す。図９に示す例では、「植物名称」、「開花時期」、「日照条件」、「解説」が選択されているため、実施条件を満たすともに、立地環境データに基づく植栽条件を満たす造園部材の特性データのうち、植物名称、開花時期、日照条件、解説のフィールドに記憶されているデータのみが読み出されることになる。造園部材選択部７は、読み出したデータが含まれる検索結果画面を制御部１を介して表示部３に表示する（ステップＳ６）。図１０に検索結果画面の一例を示す。
【００２６】
図１０に示す検索結果画面には、２件の検索結果（「アケビ」、「アズキナシ」）のみが表示されている例を示したが、検索条件（実施条件と植栽条件）を満たす全ての造園部材（植物）が表示されることになる。検索結果が１画面に収まらない場合は、上下のスクロールバーが自動的に表示され、作業者は、スクロールバーを操作しながら検索結果を参照する。また、選択された表示項目の数が多い場合も左右のスクロールバーが自動的に表示される。作業者は、検索結果を参照しながら、施主の意見を聞きながら造園部材をさらに絞り込んで、各造園部材の配置等を検討しながら造園テーマを満たす造園設計を行う。造園設計の結果のデータは、設計データ記憶部５に書き込まれる。
【００２７】
このように、予め決められたテーマに基づく庭モデルによる庭を実現するための造園実施条件データがテーマ毎に実施条件記憶部１０に予め記憶しておくともに、造園に用いる造園部材の特性データを造園部材特性記憶部９に予め記憶しておく。そして、造園を行う敷地の立地環境データを入力するとともに、実現するべき庭のテーマを選択すると、選択された庭のテーマの造園実施条件データを実施条件記憶部１０から読み出し、この造園実施条件データを満たす造園部材を造園部材特性記憶部９に記憶されているデータを参照して絞り込み、この絞り込んだ造園部材の中から、さらに入力された立地環境データに基づく植栽条件を満たす造園部材を絞りこむことによって、施主の嗜好にあった造園を実現するために必要な造園部材（植物）を容易に選択することが可能となる。この選択動作によって選択された植物は、施主が所望するテーマの庭を実現するために必須である植物が選択されているともに、選択された植物は、造園する敷地の気候や土質に合致した植物のみが選択されているため、適切な造園設計作業を迅速に進行することができる。また、選択結果を表示する場合に、表示項目を選択可能としたため、詳細な造園設計において、必要な特性データの項目のみを表示することが可能となり、設計作業を速やかに進行させることができるようになる。
【００２８】
なお、図１における処理部の機能を実現するためのプログラムをコンピュータ読み取り可能な記録媒体に記録して、この記録媒体に記録されたプログラムをコンピュータシステムに読み込ませ、実行することにより造園設計支援処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【図面の簡単な説明】
【００３０】
【図１】本発明の一実施形態の構成を示すブロック図である。
【図２】図１に示す造園設計支援システムの動作を示すフローチャートである。
【図３】図１に示す立地データ記憶部８のテーブル構造を示す説明図である。
【図４】図１に示す実施条件記憶部１０のテーブル構造を示す説明図である。
【図５】図１に示す造園部材特性記憶部９のテーブル構造を示す説明図である。
【図６】植栽可能地域データ記憶部１１に記憶されるデータを示す説明図である。
【図７】図１に示す表示部３に表示される立地データ入力画面の一例を示す説明図である。
【図８】図１に示す表示部３に表示される造園テーマ選択画面の一例を示す説明図である。
【図９】図１に示す表示部３に表示される表示項目選択画面の一例を示す説明図である。
【図１０】図１に示す表示部３に表示される検索結果画面の一例を示す説明図である。
【符号の説明】
【００３１】
１・・・制御部、２・・・入力部、３・・・表示部、４・・・建築物設計部、５・・・設計データ記憶部、６・・・造園設計部、７・・・造園部材選択部、８・・・立地データ記憶部、９・・・造園部材特性記憶部、１０・・・実施条件記憶部、１１・・・植栽可能地域データ記憶部
【図１】
0005291358.tif 000002
【図２】
0005291358.tif 000003
【図３】
0005291358.tif 000004
【図４】
0005291358.tif 000005
【図５】
0005291358.tif 000006
【図６】
0005291358.tif 000007
【図７】
0005291358.tif 000008
【図８】
0005291358.tif 000009
【図９】
0005291358.tif 000010
【図１０】
0005291358.tif 000011